(57)【要約】【課題】トモシンセシス併用マンモグラフィ装置において、患者の頭部又は頸部を保護する。【解決手段】Ｘ線源（４）は、支柱（９）を摺動する第一のキャリッジ（７）によって支持されている軸旋回式アーム（５）に固定されたヘッド・コンパートメント（１０）に配置されており、放射線透過性の圧迫板（１６）がＸ線源（４）と乳房支持部（３）との間に配置されて、患者の乳房を圧迫するために、第二のキャリッジ（２１）を摺動するように装着されている。この装置は、患者の頭部又は頸部を保護するスクリーン（２２）を有し、スクリーンは、断層写真法検査中にはＸ線源（４）の軌道と患者の頭部又は頸部との間で患者の頭部又は頸部に関して固定された位置に保持されることができ、或いは放射線画像を撮像したいときにはＸ線源（４）と患者の頭部又は頸部との間に保持されることもでき、また、退避又は取り外しが可能である。【選択図】図１
2006231054.tif 000002
【特許請求の範囲】
【請求項１】
放射線画像及び／又はトモシンセシスにより再構成される対象の画像を形成する撮像装置（１）であって、
放射線源を提供する手段（４）と、
前記対象の支持手段（３）と、
画像を受け取る手段（２）と、
を備えており、
前記支持手段は、前記放射線源を提供する手段（４）と前記画像を受け取る手段（２）との間に配置されており、前記放射線源を提供する手段（４）は、支柱（９）上を摺動する第一のキャリッジ（７）により支持されて軸（６）の周りで回転するように駆動され得るアーム（５）に固定されており、
前記放射線源を提供する手段（４）と前記支持手段（３）との間に配置されており、前記対象を圧迫するために、第二のキャリッジ（２１）上で摺動するように装着されている少なくとも１台の圧迫手段（１６）と、
前記対象の身体の部分を保護する少なくとも１台の保護スクリーン手段（２２）であって、前記放射線源を提供する手段（４）が回転するように駆動される断層写真法検査中には前記放射線源を提供する手段（４）の軌道と前記身体の部分との間で前記身体の部分に関して固定された位置に保持されることができ、或いは放射線画像を撮像したいときには前記放射線源を提供する手段（４）と前記身体の部分との間に保持されることもでき、また、退避又は取り外しが可能である保護スクリーン手段（２２）と、
を備えた撮像装置（１）。
【請求項２】
前記保護手段が着脱式となるように締結する手段（２２）
を含んでいる請求項１に記載の撮像装置。
【請求項３】
前記保護手段は、パントグラフ（２５）の一端に固定されているパネル（２３）を含んでおり、前記パントグラフの他端は固定点（２８）に固定されている、請求項１に記載の撮像装置。
【請求項４】
前記パントグラフ（２５）の関節式連結部（２７）をロックする手段を含んでいる請求項３に記載の撮像装置。
【請求項５】
前記保護（２２）の位置を、前記支柱（９）に沿った前記放射線源を提供する手段（４）の位置の関数として調節する手段を含んでおり、このため、前記支柱（９）に沿った前記第一のキャリッジ（７）の位置を問わず、前記保護手段が、前記放射線源を提供する手段（４）又は前記放射線源を提供する手段（４）の軌道と前記身体の部分との間に常に配置される、請求項３又は請求項４に記載の撮像装置。
【請求項６】
前記保護（２２）の位置を調節する前記手段は、一方では前記放射線源を提供する手段（４）を担持した前記アーム（５ａ）と協働し、他方では前記パントグラフ（２５）及び／又は前記パネル（２３）と協働する部材を含んでいる、請求項５に記載の撮像装置。
【請求項７】
前記パントグラフ（２５）は、前記関節式連結部（２７）を中心として可動であるロッド（２６）を有し、
前記ロッドを移動させる手段が、前記支柱（９）に沿った前記放射線源を提供する手段（４）を担持する前記アーム（５ａ）の垂直運動の関数としてコンピュータ・プログラムにより作動される、
請求項５に記載の撮像装置。
【請求項８】
前記保護スクリーン手段（２２）は、前記アーム（５、５ａ、５ｂ）を担持した前記第一のキャリッジ（７）に固定されており前記支柱（９）と前記放射線源を提供する手段（４）を担持する前記アーム（５ａ）との間で前記第一のキャリッジ（７）から前記放射線源を提供する手段（４）の上端まで延在しているブラケット（３０）の自由端に配置されたヒンジ（２９）を中心として関節式で運動するパネル（２３）を含んでおり、このため、前記パネル（２３）は前記放射線源を提供する手段（４）の前記上端から下端まで延在する、請求項１又は請求項２に記載の撮像装置。
【請求項９】
前記ヒンジ（２９）の軸は、前記パネル（２３）が前記ブラケット（３０）から取り外し可能となるように着脱式となっている、請求項８に記載の撮像装置。
【請求項１０】
前記保護スクリーン手段（２２）は、前記放射線源を提供する手段（４）を担持するヘッド（１０）の前方で前記放射線源を提供する手段（４）の上端から下端まで延在するパネル（２３）を含んでおり、パネルの上部エッジは、前記ヘッド（１０）の上部壁に形成された横滑動路（３２）内を摺動し得るガイド（３１）を形成している、請求項１又は請求項２に記載の撮像装置。
【請求項１１】
前記滑動路（３２）に沿って前記パネル（２３）を駆動する手段を含んでいる請求項１０に記載の撮像装置。
【請求項１２】
前記パネルを駆動する前記手段は、前記ヘッド（１０）に関する前記パネル（２３）の相対変位が前記支柱（９）に関する前記ヘッド（１０）の相対変位の反対になるようにコンピュータ・プログラムにより作動される、請求項１１に記載の撮像装置。
【請求項１３】
前記保護スクリーン手段（２２）は、前記放射線源を提供する手段（４）を担持するヘッド（１０）の前方で前記放射線源を提供する手段（４）の下端から上端まで延在するパネル（２３）を含んでおり、該パネル（２３）の下部エッジ若しくは上部エッジ、又は角は、前記パネル（２３）に垂直に延在しており前記支持手段（３）を担持する下部アーム（５ｂ）に着脱自在で固定することのできる２本のアーム（３３ａ、３３ｂ）により連結されている、請求項１又は請求項２に記載の撮像装置。
【請求項１４】
前記各アーム（３３ａ、３３ｂ）の間の間隔は、前記放射線源を提供する手段（４）により照射される放射線野の断面よりも大きい、請求項１３に記載の撮像装置。
【発明の詳細な説明】
【技術分野】
【０００１】
本発明の一実施形態は、保護スクリーンを有する撮像装置に関する。具体的には、本発明の一実施形態は、患者の頭部のような対象を保護するスクリーンであって、患者の頭部とＸ線のような放射線の線源との間で患者の頭部に関して固定された位置に保持されることができ、必要に応じて退避又は取り外しが可能であり得るスクリーンを備えた放射線撮像装置に関する。さらに、本発明の一実施形態は、保護スクリーンを有するマンモグラフィ装置に関する。
【背景技術】
【０００２】
医療撮像の分野では、乳房の病気、特に癌性腫瘍の早期スクリーニングでの実効性のため乳房の放射線撮像又はマンモグラフィが公知である。乳房の放射線撮像は、マンモグラフィ装置と呼ばれる放射線撮像装置によって実行され、この装置は、Ｘ線源のような放射線源を提供する手段、及び放射線源を提供する手段と、例えば放射線撮像フィルム又はディジタル受像器のような画像を受け取る手段との間に配置されている乳房のような対象を支持する手段を有している。画像を受け取る手段及び放射線源を提供する手段は、支柱上を摺動し、また軸の周りを回転するように装着されているアームに固定されている。この装置はさらに、動作手段、放射線画像を取得する手段及び放射線画像を可視化する手段、放射線源を提供する手段と画像を受け取る手段との間を摺動するキャリッジに装着されている放射線透過性の圧迫板のような少なくとも１台の圧迫手段、並びに制御手段を含んでいてよい。圧迫手段を圧迫パッドとも呼び、この手段は、画質を高め且つ患者によって吸収される放射線量を低減するために、支持手段に乳房を押圧して圧迫することを可能にしている。
【０００３】
圧迫手段はキャリッジに装着されており、キャリッジは、Ｘ線の方向に平行な方向での圧迫手段の並進を可能にするように、放射線源を提供する手段を担持しているアームに沿って移動することができる。
【０００４】
画像を受け取る手段は、例えば写真フィルムに接触するように保持された放射線感受性のインテンシファイア・スクリーンを収容しており放射線撮像される乳房の寸法に応じて様々な寸法を有する着脱式カセット、又はディジタル・センサを含み得る。
【発明の開示】
【発明が解決しようとする課題】
【０００５】
マンモグラフィ装置は、複数の形式の異なるビューに従って放射線画像を撮像することを可能にする。主な形式のビューとしては、患者の前頭から足への軸において腺のビューを得るように乳房を上から照射する頭尾方向（ＣＣ）撮像、患者の身体を横断する軸において腺のビューを得るように側方から乳房を照射する体側方向撮像、及び斜方視角で乳房を照射する内外斜位方向（ＭＬＯ）撮像がある。
【０００６】
頭尾方向撮像によって放射線画像を撮像している場合には、頸部及び頭部への如何なる照射も回避するために、患者は頭部又は頸部のような身体の部分を後方又は側方に傾けて保たなければならない。マンモグラフィ装置は、患者が頭部又は頸部を放射線野に挿入することを防ぐために、放射線源を担持したマンモグラフィ装置に固定されている保護スクリーンを形成する着脱式のプレクシグラス（登録商標）製バイザ（目庇）を有し得る。
【０００７】
しかしながら、マンモグラフィ装置によってはトモシンセシスによって再構成される画像も形成する場合があり、二つの次元での情報を異なる視角で取得するために患者の乳房を中心として放射線源を回転させる必要がある。放射線源を回転させるときに、保護スクリーンを形成するマンモグラフィ装置のヘッドのバイザは、放射線源の回転中の患者の頭部及び頸部の照射を回避するには不十分である。この理由は、放射線源が回転したときにはバイザは最早患者の頭部とは整列しないため、患者が移動して意図せず頭部を放射線野に挿入する虞があるからである。バイザはさらに、放射線源が回転しているときに患者を傷付けがちである。
【課題を解決するための手段】
【０００８】
本発明の一実施形態は、放射線画像を撮像しているとき、及びトモシンセシスによる画像の再構成のために情報を取得しているときの両方に患者の頭部又は頸部を保護する着脱式スクリーンを撮像装置に設けることにより上述の欠点を克服する。
【０００９】
本発明の一実施形態は、例えばマンモグラフィに用いられて、放射線画像、及び／又は例えばトモシンセシスによって再構成され得る乳房のような対象の画像を形成する撮像装置に関し、この撮像装置は、Ｘ線源のような放射線の線源を提供する手段、及び放射線源を提供する手段と画像を受け取る手段との間に配置されており乳房のような対象を支持する手段を含んでいる。放射線源を提供する手段は、アームに固定されたヘッド・コンパートメントに配置されており、アームは、支柱上を摺動する第一のキャリッジによって支持されて軸の周囲を回転するように駆動することができる。放射線透過性の圧迫板のような少なくとも１台の圧迫手段が、放射線源を提供する手段と支持手段との間に配置されており、対象を圧迫するために第二のキャリッジ上で摺動するように装着されている。この装置は、患者の頭部又は頸部のような対象の身体の部分を保護するスクリーンのような少なくとも１台の保護手段を含んでおり、スクリーンは、例えば放射線源が回転するように駆動される断層写真法検査中には放射線源の軌道と患者の頭部又は頸部との間で患者の頭部又は頸部に関して固定された位置に保持されることができ、或いは放射線画像を撮像したいときには放射線源の軌道と患者の頭部又は頸部との間に保持されることもでき、また、退避若しくは取り外しが可能であり得る。
【００１０】
他の利点及び特性は、撮像装置の幾つかの代替的な実施形態についての以下の記載からさらに明らかに理解されよう。実施形態は、添付図面に基づいて非限定的実例として掲げられている。
【発明を実施するための最良の形態】
【００１１】
図１について説明する。本発明の一実施形態による撮像装置１は、ディジタル受像器２のような画像を受け取る手段、及び画像を受け取る手段２と画像を受け取る手段２に向かって放射線を照射するＸ線源４のような放射線源を提供する手段４との間に延在する乳房支持板３のような対象を支持する手段を含んでいる。画像を受け取る手段２及び放射線源を提供する手段４は、Ｃ字形又はＵ字形のアーム５の端部にそれぞれ配置されている。アーム５は、一点鎖線で模式的に表わされた軸６を中心として旋回する上部５ａを有し、矢印ａで示すように支柱９の滑動路８を垂直に摺動する第一のキャリッジ７によって支持されて、上部自由端に所謂ヘッド・コンパートメント１０を有し、ここに放射線源４が配置されている。アーム５はまた、軸６を中心としてアーム５の上部５ａとは独立に旋回する下部５ｂを有し、その下端には保護キャップが固定され、上面は対象を支持する手段３を形成している。画像を受け取る手段２は、支持手段３の下方で保護キャップ内に配置されており、保護キャップは「跳ね上げ（bucky）」形式のグリッド（図１には示されていない）を選択随意で有している。画像を受け取る手段２は、アーム５の上部５ａに固定されていてもよく、この場合には受像器２が取得系列中に移動する。
【００１２】
撮像装置１は、装置のヘッド１０で放射線源４の出口に配置された調節自在式コリメータ１１を含んでいる。撮像装置はさらに、放射線源４、コリメータ１１、画像を受け取る手段２、取得手段１３及び視覚化手段１４に接続されている動作手段１２を含んでいる。キーボード、マウス又は制御ボタン等のような制御手段１５が動作手段１２に接続されている。
【００１３】
図１では、撮像装置１は、放射線透過性材料、例えばポリカーボネートで形成されており周辺押縁１７を有する矩形の圧迫板１６のような圧迫手段を含んでいる。圧迫板１６の末端側エッジに沿って圧迫板１６の側辺エッジの一部を覆ってＵ字形クランプ１８が周辺押縁に固定されている。クランプ１８はアーム１９の一端に固定され、アーム１９の他端は支持部２０への固定に適した手段を含んでおり、支持部２０は放射線源４と画像を受け取る手段２との間を移動可能な第二のキャリッジ２１に固定されているため、圧迫板１６は乳房支持部３に平行に延在して、図１の矢印ｂで示すように受像器２と放射線源４との間を乳房支持部３の法線に沿って移動することができる。
【００１４】
また、キャリッジ２１が下部アーム５ｂ又は上部アーム５ａに沿って同等に摺動しても本発明の範囲から逸脱しない。
【００１５】
さらに、図１では、撮像装置１は、破線で模式的に示されているスクリーンのような患者の頭部を保護する保護手段２２を含んでおり、保護手段は、放射線源４が回転するように駆動される断層写真法検査中には放射線源４の軌道と患者の頭部又は頸部との間で患者の頭部又は頸部に関して固定された位置に保持されることができ、或いは放射線画像を撮像したいときには放射線源４と患者の頭部又は頸部との間に保持されることもでき、必要に応じて退避又は着脱が可能であってよい。
【００１６】
撮像装置の第一の代替的な実施形態では、図２及び図３を参照して述べると、保護スクリーン２２のような保護手段は、例えばプレクシグラス（登録商標）で形成されており、側辺エッジに沿って把手２４を取り付けられた全幅型矩形パネル２３を含んでおり、パネル２３は、関節式連結部２７例えば玉継手によって接続されたロッド２６を含むパントグラフ２５の一端に固定される。パントグラフ２５の他端は固定点、例えば撮像装置１が配置されている室内の天井２８に固定される。パントグラフ２５はさらに、図２の矢印ｃで示されるように放射線源４が回転するように駆動される断層写真法検査中には放射線源４の軌道と患者の頭部又は頸部との間で患者の頭部又は頸部に関して固定された位置にパネル２３を保持するように、或いは例えば図２に表わされているような頭尾方向撮像によって放射線画像を撮像したいときには放射線源４と患者の頭部又は頸部との間にパネル２３を保持するように、例えばナットを締めることにより関節式連結部２７をロックする手段を含んでいる。操作者は、図３に表わされているように、パントグラフ２５の関節式連結部２７を解除することにより、撮像装置１の横手にパネル２３を収納するようにパネル２３を退避させ又は取り外すことができる。
【００１７】
撮像装置１は、保護手段２２の位置を支柱９に沿った放射線源４の位置の関数として調節する手段を含んでおり、このため、保護手段２２は、支柱９に沿った第一のキャリッジ７の位置を問わず放射線源４又は放射線源４の軌道と患者の頭部又は頸部との間に常に配置される。乳房支持部３は患者の乳房の下方の胸郭を載置しなければならないため操作者が支柱９に沿ったキャリッジ７の位置を患者の寸法の関数として適応させる必要があり、調節が望まれる。このため、保護手段２２の垂直位置を患者の寸法の関数として適応させると適当である。これら保護手段２２の位置を調節する手段は、一方では第一のキャリッジ７又は上部アーム５ａ又は放射線源４を担持したヘッド１０と協働し、他方ではパントグラフ２５及び／又はパネル２３と協働する部材を含んでおり、このため、パネル２３の垂直位置は、支柱９に沿った第一のキャリッジ７の垂直移動と同時に調節される。
【００１８】
保護スクリーン２２の位置を支柱９に沿ったＸ線源４の位置の関数として調節する手段の代替的な一実施形態では、パントグラフ２５のロッド２６を、放射線源４を担持したアーム５の支柱９に沿った垂直運動の関数として、コンピュータ・プログラムによって作動される駆動手段（図示されていない）によって関節式連結部２７の周りで移動させる。尚、このコンピュータ・プログラムは、動作手段１２に記録されている。パントグラフ２５はブラケットに固定されていてもよいし、その他任意の固定点に固定されていてもよく、いずれも本発明の範囲から逸脱しない。
【００１９】
撮像装置１の第二の代替的な実施形態では、図４及び図５を参照して述べると、保護手段２２は、台形の全体的形状を有するパネル２３を含んでおり、パネル２３の上端を形成する台形の短辺が、第一のキャリッジ７に固定されており支柱９と放射線源４を担持する上部アーム５ａとの間で第一のキャリッジ７からヘッド１０の上端まで延在するブラケット３０の自由端に配置されたヒンジ２９を中心として関節式に移動し、このため、パネル２３は実質的に、放射線源４の上端から下端まで延在する。支持手段３の垂直位置を患者の寸法の関数として調節するために第一のキャリッジ７を支柱９に沿って移動させるときには、パネル２３は、放射線源４と患者の頭部又は頸部との間に延在するように同時に垂直に移動する。さらに、図４の矢印ｄによって示されるように放射線源４が回転するように駆動される断層写真法検査中には、パネル２３は患者の頭部又は頸部の前方に固定されたままとなる。ヒンジ２９の軸は、撮像装置１の他の形式の検査例えば患者の頭部又は頸部を保護する必要のない定位検査等での利用を容易にするために、パネル２３がブラケット３０から取り外される得ように着脱式となっている。
【００２０】
撮像装置１の第三の代替的な実施形態では、図６及び図７を参照して述べると、保護手段２２は、放射線源４を担持したヘッド１０の前方で放射線源４の上端から下端まで延在している台形の全体的形状を有するパネル２３を含んでおり、台形パネル２３の短辺を含むパネル２３の上部エッジは、ヘッド１０の上部壁に形成された対応する形状を有する横滑動路３２を摺動し得るガイド３１（図７）を形成している。全実施形態におけるこの実施形態での撮像装置はさらに、滑動路３２に沿ってパネル２３を駆動する手段（図示されていない）を含んでいる。この駆動手段は、例えば、ガイド３１上を摺動する電動式ローラ、又は代替的には、ガイド３１に固定されたラックと協働する電動式歯車を含んでおり、放射線源４が回転するように駆動される断層写真法検査中には、図６の破線で示すようにヘッド１０に関するパネル２３の相対変位が支柱９に関するヘッド１０の相対変位と反対になるようにコンピュータ・プログラムによって作動される。パネル２３は、放射線源４が回転するように駆動されているときには患者の顔の前方で固定された位置に留まる。第一のキャリッジ７が、支持手段３の垂直位置を患者の寸法の関数として調節するために支柱９に沿って移動されるときには、ヘッド１０に固定されたパネル２３も、放射線源４と患者の頭部又は頸部との間に延在するように同時に垂直に移動する。
【００２１】
撮像装置１の第四の代替的な実施形態では、保護手段２３は、放射線源４を担持しているヘッド１０の前方で放射線源４の実質的に上端から下端まで延在している実質的に矩形のパネルを含んでおり、パネル２３の下部の両角は、パネル２３に垂直に延在しており支持手段３を担持している下部アーム５ｂに着脱自在で固定されることのできる２本の実質的に半円形のアーム３３ａ及び３３ｂによって連結されている。アーム３３ａ及び３３ｂは任意の形状を有していてよい。さらに、アーム３３ａ及び３３ｂが、パネルのエッジ又は上部の角においてパネルに固定されていても、本発明の範囲から逸脱しない。アーム３３ａとアーム３３ｂとの間の間隔は、撮像ビューを問わず放射線画像を撮像しているときのあらゆる減弱現象を回避するために、放射線源４によって照射される放射線野の断面よりも大きくてよい。代替的には、剛性を高めるために、アーム３３ａ及び３３ｂを放射線透過性の材料で形成した板で置き換えてもよく、この場合には、断層写真法検査中にプレートを透過する放射線の強度の減弱は、放射線の強度を傾きの関数すなわち放射線の伝播方向と支柱９のと垂直軸とが成す角度の関数として高めるか、非一様な増分の角度で情報を取得するかのいずれかによって補償することができる。
【００２２】
保護手段は、撮像装置に固定されている相補的な締結手段と協働し得る締結手段例えばヒンジ２９を有し、このため、保護手段は着脱式となっている。
【００２３】
第一の代替的な実施形態では、保護手段は、パントグラフの一端に固定されたパネルを含んでおり、パントグラフの他端は固定点、例えば室内の天井に固定される。
【００２４】
第二の代替的な実施形態では、保護手段は、第一のキャリッジに固定されて、支柱と放射線源を提供する手段を担持するアームとの間で第一のキャリッジから放射線源を提供する手段の上端まで延在するアームの自由端に配置されたヒンジの周りを関節式で移動するパネルを含んでおり、このため、パネルは放射線源を提供する手段の上端から下端まで延在する。
【００２５】
第三の代替的な実施形態では、保護手段は、撮像装置の放射線源を提供する手段を担持するヘッドの前方で放射線源を提供する手段の上端から下端まで延在するパネルを含んでおり、パネルの上部エッジは、撮像装置のヘッドの上部壁に形成された横滑動路を摺動し得るガイドを形成している。
【００２６】
第四の代替的な実施形態では、保護手段は、撮像装置の放射線源を提供する手段を担持するヘッドの前方で放射線源を提供する手段の下端から上端まで延在するパネルを含んでおり、パネルの下部エッジ若しくは上部エッジ、又はパネルの角は、パネルに垂直に延在する２本のアームによって連結されており、圧迫板の第二のキャリッジに着脱自在で固定されることができる。
【００２７】
加えて、本発明の一実施形態を例示的な実施形態の例を参照しながら説明したが、機能及び／又は方法及び／又は結果について様々な変形を施すことができ、本発明の範囲から逸脱せずに本発明の諸要素又は諸特徴に代えて均等構成を置換し得ることが当業者には理解されよう。加えて、本発明の本質的な範囲から逸脱せずに本発明の教示に合わせて特定の状況又は材料を適応構成するための多くの改変を施すことができる。従って、本発明は、本発明を実施するのに想到される最良の態様として開示された特定の実施形態に限定されず、特許請求の範囲に含まれる全実施形態を包含するものとする。さらに、第一、第二等、又はステップ等の用語を用いたが、如何なる序列や重要性も表わすのではなく、一つの要素若しくは特徴を他の要素若しくは特徴と識別するために用いられている。さらに、単数不定冠詞を用いたが、量の制限を表わすものではなく、参照されている要素又は特徴が少なくとも１個は存在していることを示す。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００２８】
【図１】マンモグラフィ装置のような撮像装置の模式的遠近図である。
【図２】保護スクリーンが作動位置にある場合の撮像装置の第一の代替的な実施形態の遠近図である。
【図３】保護スクリーンが退避位置にある場合の撮像装置の第一の代替的な実施形態の遠近図である。
【図４】撮像装置の第二の代替的な実施形態の部分遠近図である。
【図５】図４に示すような撮像装置の第二の代替的な実施形態の側面図である。
【図６】撮像装置の第三の代替的な実施形態の部分遠近図である。
【図７】図６に示すような撮像装置の第三の代替的な実施形態の側面図である。
【図８】撮像装置の第四の代替的な実施形態の部分遠近図である。
【図９】図８に示すような撮像装置の第四の代替的な実施形態の側面図である。
【符号の説明】
【００２９】
１  撮像装置
２  ディジタル受像器
３  乳房支持板
４  Ｘ線源
５  Ｃ字形又はＵ字形アーム
５ａ  アームの上部
５ｂ  アームの下部
６  軸
７  第一のキャリッジ
８  滑動路
９  支柱
１０  ヘッド・コンパートメント
１１  コリメータ
１２  動作手段
１３  取得手段
１４  視覚化手段
１５  制御手段
１６  圧迫板
１７  周辺押縁
１８  Ｕ字形クランプ
１９  アーム
２０  支持部
２１  第二のキャリッジ
２２  保護手段
２３  矩形パネル
２４  把手
２５  パントグラフ
２６  ロッド
２７  関節式連結部
２８  天井
２９  ヒンジ
３０  ブラケット
３１  ガイド
３２  横滑動路
３３ａ、３３ｂ  半円形アーム
【図１】
2006231054.tif 000003
【図２】
2006231054.tif 000004
【図３】
2006231054.tif 000005
【図４】
2006231054.tif 000006
【図５】
2006231054.tif 000007
【図６】
2006231054.tif 000008
【図７】
2006231054.tif 000009
【図８】
2006231054.tif 000010
【図９】
2006231054.tif 000011